(57)【特許請求の範囲】
【請求項１】
ケースと、
摺動方向に沿って摺動可能に前記ケースに係合されており、トレイ本体、第１の収納板及び第２の収納板を含む摺動トレイであって、前記第１の収納板、第２の収納板が前記トレイ本体に設けられ、且つ前記摺動方向に沿って配列され、前記第２の収納板がそれぞれ前記第１の収納板に向かう第１の端部及び前記第１の収納板から離れた第２の端部を有し、前記第２の収納板が前記摺動トレイに伴って前記ケースから外へ摺動した場合、前記第２の収納板が前記トレイ本体に対して回転することで前記第１の端部が前記摺動方向と所定の角度を有する他の方向を向き、前記トレイ本体の端部は、貫通領域を含み、前記第２の収納板が前記トレイ本体に対して回転する場合、前記第２の端部が前記貫通領域から前記トレイ本体を貫通する前記摺動トレイと、
前記第１の収納板と前記第２の収納板に設けられた複数の記憶モジュールと、
を備えるサーバー装置。
【請求項２】
前記トレイ本体は、底面及び２つの外壁を含み、前記底面が前記２つの外壁に接続され且つ前記底面の前記摺動方向の長さが前記２つの外壁の前記摺動方向の長さよりも短く、前記第２の収納板が前記２つの外壁の間に挟まれ且つ前記第２の収納板の一部が前記底面に位置する請求項１に記載のサーバー装置。
【請求項３】
前記第２の収納板は、前記２つの外壁の１つに対向する、枢転孔を有する内壁を含み、前記第２の収納板が前記枢転孔を軸心として回転し、且つ前記枢転孔が前記内壁の中央と前記第１の端部との間の領域に位置する請求項２に記載のサーバー装置。
【請求項４】
前記摺動トレイは、前記第２の収納板に枢支されるように前記トレイ本体と前記第２の収納板との間に設けられた枢支板を更に含む請求項１又は２の何れか１項に記載のサーバー装置。
【請求項５】
前記第２の収納板は、前記枢支板に対向する、枢転孔を有する内壁を含み、前記第２の収納板が前記枢転孔を軸心として回転し、且つ前記枢転孔が前記内壁の中央と前記第１の端部との間の領域に位置する請求項４に記載のサーバー装置。
【請求項６】
前記第１の収納板は、前記トレイ本体に固定されて接続され、且つ前記第２の収納板が前記摺動トレイに伴って前記ケースから外へ摺動した場合、前記第２の収納板が前記第１の収納板と前記ケースとの間に位置する請求項１〜５の何れか１項に記載のサーバー装置。
【請求項７】
前記第２の収納板の前記第１の端部が前記他の方向を向いた場合、前記第２の収納板の底面の仮想延出面が前記第１の収納板と交差することはない請求項１〜６の何れか１項に記載のサーバー装置。
【請求項８】
前記摺動トレイは、前記第２の収納板の一側に位置した、複数のコネクタを含む背板を更に含み、前記第２の収納板に設けられた前記記憶モジュールが前記コネクタと接続される請求項１〜７の何れか１項に記載のサーバー装置。
【請求項９】
前記摺動トレイは、前記第２の収納板に接続された上板を更に含み、且つ前記上板、前記第２の収納板及び前記背板が収納スペースを形成し、前記記憶モジュールが前記収納スペース内に設けられる請求項８に記載のサーバー装置。
【請求項１０】
前記摺動トレイは、前記トレイ本体に設けられた第３の収納板を更に含み、前記第２の収納板が前記第１の収納板と前記第３の収納板との間に位置し、且つ前記第３の収納板がそれぞれ前記第２の収納板に向かう第３の端部及び前記第２の収納板から離れた第４の端部を有し、前記第３の収納板が前記摺動トレイに伴って前記ケースから外へ摺動した場合、前記第３の収納板が前記トレイ本体に対して回転することで前記第３の端部が前記摺動方向と所定の角度を有する他の方向を向く請求項１〜９の何れか１項に記載のサーバー装置。
【発明の詳細な説明】
【技術分野】
【０００１】
本発明は、サーバー装置に関し、特に、摺動トレイを有するサーバー装置に関する。
【背景技術】
【０００２】
ホットスワップ（ｈｏｔ  ｓｗａｐ）とは、コンピューターシステムの電源を入れたまま、直接周辺機器と物理的に接続し又は物理的に抜き取る動作である。ホットスワップの機能は、サーバーレベルのシステムにおいて、特に重要であり、コンピューターがサービスを中断せずにシステムの機能を拡張するようにすることができる。
【発明の概要】
【発明が解決しようとする課題】
【０００３】
例えば、現在、サーバー装置の内部に、ホットスワップ可能な記憶モジュールが複数配置することができる。これらの記憶モジュールは、背板から容易に交換できるように、一般的に、サーバー装置の背板に設けられる。より多くの記憶モジュールを収納するために、サーバー装置の内部スペースがますます狭くなっているため、記憶モジュールの接続や抜き取りが次第に不便になっている。
【課題を解決するための手段】
【０００４】
本開示内容の一態様は、従来技術における記憶モジュールの脱着の問題を解決するためのサーバー装置を提供する。
【０００５】
本開示内容の一又は複数の実施例によれば、ケースと、摺動方向に沿って摺動可能にケースに係合されており、トレイ本体、第１の収納板及び第２の収納板を含み、第１の収納板、第２の収納板がトレイ本体に設けられ、且つ摺動方向に沿って配列され、第２の収納板がそれぞれ第１の収納板に向かう第１の端部及び第１の収納板から離れた第２の端部を有し、第２の収納板が摺動トレイに伴ってケースから外へ摺動した場合、第２の収納板がトレイ本体に対して回転することで第１の端部が摺動方向と所定の角度を有する他の方向を向く摺動トレイと、第１の収納板と第２の収納板に設けられた複数の記憶モジュールと、を備えるサーバー装置を提供する。
【０００６】
本開示内容の一又は複数の実施例によれば、前記トレイ本体の端部は、貫通領域を含み、第２の収納板がトレイ本体に対して回転する場合、第２の端部が貫通領域からトレイ本体を貫通する。
【０００７】
本開示内容の一又は複数の実施例によれば、前記トレイ本体は、底面及び２つの外壁を含み、底面が２つの外壁に接続され且つ底面の摺動方向の長さが２つの外壁の摺動方向の長さよりも短く、第２の収納板が２つの外壁の間に挟まれ且つ第２の収納板の一部が底面に位置する。
【０００８】
本開示内容の一又は複数の実施例によれば、前記第２の収納板は、２つの外壁の１つに対向する、枢転孔を有する内壁を含み、第２の収納板は、枢転孔を軸心として回転し、且つ枢転孔が内壁の中央と第１の端部との間の領域に位置する。
【０００９】
本開示内容の一又は複数の実施例によれば、前記摺動トレイは、第２の収納板に枢支されるようにトレイ本体と第２の収納板との間に設けられた枢支板を更に含む。
【００１０】
本開示内容の一又は複数の実施例によれば、前記第２の収納板は、枢支板に対向する、枢転孔を有する内壁を含み、第２の収納板が枢転孔を軸心として回転し、且つ枢転孔が内壁の中央と第１の端部との間の領域に位置する。
【００１１】
本開示内容の一又は複数の実施例によれば、前記第１の収納板とトレイ本体は、固定されて接続され、且つ第２の収納板が摺動トレイに伴ってケースから外へ摺動した場合、第２の収納板が第１の収納板とケースのとの間に位置する。
【００１２】
本開示内容の一又は複数の実施例によれば、前記第２の収納板の第１の端部が前記他の方向を向いた場合、第２の収納板の底面の一仮想延出面が第１の収納板と交差することはない。
【００１３】
本開示内容の一又は複数の実施例によれば、前記摺動トレイは、第２の収納板の一側に位置した、複数のコネクタを含む背板を更に含み、第２の収納板に設けられる記憶モジュールが前記複数のコネクタと接続される。
【００１４】
本開示内容の一又は複数の実施例によれば、前記摺動トレイは、第２の収納板に接続された上板を更に含み、且つ上板、第２の収納板及び背板が収納スペースを形成し、記憶モジュールが収納スペース内に設けられる。
【００１５】
本開示内容の一又は複数の実施例によれば、前記摺動トレイは、トレイ本体に設けられた第３の収納板を更に含み、第２の収納板が第１の収納板と第３の収納板との間に位置し、且つ第３の収納板がそれぞれ第２の収納板に向かう第３の端部及び第２の収納板から離れた第４の端部を有し、第３の収納板が摺動トレイに伴ってケースから外へ摺動した場合、第３の収納板がトレイ本体に対して回転でき、これにより、第３の端部が摺動方向と所定の角度を有する他の方向を向く。
【発明の効果】
【００１６】
上記をまとめると、本開示内容に係る一又は複数の実施例によれば、サーバー装置の摺動トレイがサーバー装置のケースの外へ引き出される場合、摺動トレイにおける記憶モジュールを設ける収納板が回転して摺動方向と所定の角度を有する他の方向を向くことにより、収納板内の記憶モジュールが取り出される途中、サーバー装置内の他のユニットと干渉することはない。従って、サーバー装置で、内部スペースが狭すぎて記憶モジュールを装着できないおそれがなく、ケース内部の限られたスペースに、記憶モジュールを大量に設けることができる。
【図面の簡単な説明】
【００１７】
【図１】本開示内容の一実施例に係るサーバー装置を示す斜視図である。
【図２】図１の摺動トレイがサーバー装置のケースから外部へ引き出された様子を示す模式図である。
【図３】図２の記憶モジュールの一部が傾いた様子を示す模式図である。
【図４】図３の傾いた記憶モジュールが取り外された様子を示す模式図である。
【図５】本開示内容の一実施例に係る摺動トレイを示す斜視図である。
【図６】本開示内容の一実施例に係る第１の収納板と第２の収納板を示す側面図である。
【図７】本開示内容の別の実施例に係る第１の収納板、第２の収納板及び第３の収納板を示す側面図である。
【図８】本開示内容の一実施例に係る摺動トレイを示す分解図である。
【発明を実施するための形態】
【００１８】
以下、図面及び詳しい説明によって、本発明の精神を明らかに説明するが、当業者であれば、本発明の好適な実施例を理解する上で、本発明の教示した技術に基づいて、本発明の精神と範囲から逸脱せずに、変更や修飾を加えることができる。
【００１９】
まず、本開示内容は、摺動トレイが内蔵されており、摺動トレイがサーバー装置のケース内から外へ摺動し又はケースの内部に摺動することができるサーバー装置に関する。サーバー装置の内部における複数の記憶モジュールは、摺動トレイにおけるコネクタとホットスワップの方式で接続できるように、主に摺動トレイに装着される。また、本開示内容のサーバー装置では、摺動トレイがケース内に摺動し又はケース外へ摺動している途中、これらの記憶モジュールは、依然としてデータを連続的に伝送することができる。従って、ユーザは、他の記憶モジュールのデータのアクセスに影響せずに、摺動トレイにおける単一な記憶モジュールに対するメンテナンス又は交換の動作をすることができる。つまり、本開示内容のサーバー装置では、ある記憶モジュールを交換すると同時に、他の記憶モジュールが依然として正常に動作することができる。
【００２０】
図１と図２を参照する。図１は、本開示内容の一実施例に係るサーバー装置１０を示す斜視図である。図２は、図１の摺動トレイ１４０がサーバー装置１０のケース１１０外部へ引き出された様子を示す模式図である。図１では、サーバー装置１０のケース１１０の一部を省略して、直接サーバー装置１０の内部の部品の配置を露出する。実際に使用する場合、サーバー装置１０内部の部品が見られない場合がある。図１及び図２に示すように、サーバー装置１０は、ケース１１０と、摺動トレイ１４０と、複数の記憶モジュール１９０と、を含む。摺動トレイ１４０は、摺動方向１２０に沿って摺動可能にケース１１０に係合される。複数の記憶モジュール１９０は、摺動トレイ１４０の移動につれてケース１１０の内部から引き出され又はケース１１０の内部に装着されることができるように、摺動トレイ１４０に設けられてもよい。
【００２１】
一部の実施例において、サーバー装置１０は、一端がケース１１０に接続され、対向する他端が摺動トレイ１４０に接続される伸縮ケーブル１３０を更に備えてもよい。伸縮ケーブル１３０は、記憶モジュール１９０に電気的に接続されて、記憶モジュール１９０のデータの転送のために用いられる。摺動トレイ１４０がケース１１０の内部から外へ摺動し又はケース１１０の内部に摺動する場合、伸縮ケーブル１３０は、摺動トレイ１４０の移動につれて延び又は圧縮することができる。このように、摺動トレイ１４０における複数の記憶モジュール１９０は、伸縮ケーブル１３０によってデータを連続的に伝送することができるが、摺動トレイ１４０が引き出されることで記憶モジュール１９０の動作を停止させることはない。
【００２２】
一部の実施例において、サーバー装置１０は、マザーボード１１２、ソリッドステートドライブ１１４及びファン１１６等の部品を更に備えてもよい。例としては、伸縮ケーブル１３０は、ソリッドステートドライブ１１４に電気的に接続されてもよく、ソリッドステートドライブ１１４は、一時的に記憶モジュール１９０のデータを記憶してもよい。ファン１１６は、マザーボード１１２及び複数の記憶モジュール１９０に対向して、マザーボード１１２及び記憶モジュール１９０に対して放熱してもよい。マザーボード１１２は、ソリッドステートドライブ１１４とファン１１６に電気的に接続されてもよく、また、マザーボード１１２は、ソリッドステートドライブ１１４とファン１１６の動作を制御するための処理ユニット（未図示）を備えてもよい。
【００２３】
図３、図４と図５を参照する。図３は、図２の記憶モジュール１９０の一部が摺動トレイ１４０に対して回転した様子を示す模式図である。図４は、図３の摺動トレイ１４０に対して回転した記憶モジュール１９０が取り外された様子を示す模式図である。図５は、本開示内容の一実施例に係る摺動トレイ１４０を示す斜視図である。図５では、摺動トレイ１４０中の上板１４６、１４８及び摺動構造を省略して、直接上板１４６、１４８下の第１の収納板１６０、第２の収納板１７０及び背板１４２、１４４等の部品を露出する。図に示すように、摺動トレイ１４０は、トレイ本体１５０、第１の収納板１６０及び第２の収納板１７０を含む。第１の収納板１６０と第２の収納板１７０は、摺動方向１２０に沿って配列するように、トレイ本体１５０に設けられる。
【００２４】
一部の実施例において、摺動トレイ１４０は、摺動構造を含んでもよく、例えば、摺動レール１５１と摺動部材１５２（図３と図４に示す）を含んでもよい。摺動レール１５１がケース１１０の底面１１１に設けられてもよい。例えば、摺動レール１５１は、側辺に片寄って底面１１１に位置してもよい。摺動部材１５２は、摺動レール１５１に摺動可能に設けられてもよく、且つトレイ本体１５０に接続されてもよい。このように、摺動部材１５２が摺動レール１５１を摺動することで、トレイ本体１５０は、それに伴って摺動方向１２０に沿ってケース１１０内に摺動し又はケース１１０内から外へ摺動することができる。
【００２５】
複数の記憶モジュール１９０は、第１の収納板１６０と第２の収納板１７０に設けられ、第２の収納板１７０がそれぞれ第１の収納板１６０に向かう第１の端部１７１及び第１の収納板１６０から離れた第２の端部１７２を有する。第２の収納板１７０は、摺動トレイ１４０に伴ってケース１１０から外へ摺動した場合、トレイ本体１５０に対して回転することで第１の端部１７１がトレイ本体１５０に対して傾く。すなわち、摺動方向１２０と所定の角度を有する取り外し方向２００を向く。第１の端部１７１がトレイ本体１５０に対して傾いた場合、第２の収納板１７０に設けられた記憶モジュール１９０もそれに伴って傾くので、ユーザが記憶モジュール１９０を第２の収納板１７０から取り外すことが容易になる。なお、所定の角度の一例は、２０°〜７０°の範囲である。また、取り外し方向２００は、他の方向の一例である。前記は単なる一例であり、本発明の範囲を限定するためのものではない。
【００２６】
つまり、第２の収納板１７０は、ケース１１０から外へ摺動すると、その第１の収納板１６０に近い第１の端部１７１が、トレイ本体１５０に対して選択的に傾く。即ち、第２の収納板１７０は、ケース１１０から外へ摺動すると、その第１の端部１７１がユーザの引っ張りにより受動的に傾き、又は能動的で自動的に傾く。
【００２７】
例としては、一部の実施例において、第２の収納板１７０において、摺動トレイ１４０がケース１１０から外へ摺動すると、第２の収納板１７０の第１の端部１７１を傾かせる枢転構造を有してもよく、枢転構造の態様としては、様々な形態がある。例えば、第２の収納板１７０は、内壁１７４を含んでもよい。内壁１７４は、上板１４８に接続されてよく、枢転孔１７４ａ（図５に示す）を有してもよい。また、摺動トレイ１４０は、枢支板１４９を含んでもよい。且つ、枢支板１４９は、内壁１７４に対向して内壁１７４に枢支されると同時に、トレイ本体１５０と固定されて接続されるように、トレイ本体１５０と第２の収納板１７０の内壁１７４との間に設けられてもよい。一実施例において、枢支板１４９に、第２の収納板１７０の枢転孔１７４ａと対応する別の枢転孔１４９ａ（図７に示す）を有してもよく、枢軸を枢支板１４９の枢転孔１４９ａと第２の収納板１７０の枢転孔１７４ａとの間に挿設することで、第２の収納板１７０が枢転孔１７４ａを軸心として回転できるようになって、第２の収納板１７０の第１の端部１７１がトレイ本体１５０に対して傾く。
【００２８】
更に他の実施例において、摺動トレイ１４０は、枢支板１４９における枢転孔１４９ａと第２の収納板１７０の枢転孔１７０ａとの間に接続されたトーションバネを含む。また、第２の収納板１７０は、トレイ本体１５０と脱着可能に係止されることができ、これにより、第２の収納板１７０がトレイ本体１５０に係止されない場合、第２の収納板１７０がトーションバネによる弾力によって自動的に回転して、第２の収納板１７０の第１の端部１７１がトレイ本体１５０に対して傾き、ユーザが第２の収納板１７０に設けられた記憶モジュール１９０を取り外すことが容易になる。
【００２９】
別の実施例において、第２の収納板１７０は、直接トレイ本体１５０に枢支されてもよい。具体的には、第２の収納板１７０の内壁１７４は、トレイ本体１５０の２つの外壁１５５、１５６の１つに向かってもよく、これにより、第２の収納板１７０が枢転孔１７０ａを軸心としてトレイ本体１５０に対して回転できる。例えば、ユーザが第２の収納板１７０の第１の端部１７１を引っ張ることで受動的に回転することができる。
【００３０】
注意すべきなのは、上記の枢転構造は、例として挙げられるもので、製品を実際に適用する場合、第２の収納板１７０の第１の端部１７１を傾かせる構造であれば、何れも本発明の保護範囲に属する。
【００３１】
このように、サーバー装置１０の内部の摺動トレイ１４０がケース１１０から外へ引き出された場合、摺動トレイ１４０においてケース１１０に近い記憶モジュール１９０は、第２の収納板１７０につれて傾く。従って、第２の収納板１７０に設けられた記憶モジュール１９０と第１の収納板１６０に設けられた記憶モジュール１９０との間の距離が近くても、第２の収納板１７０を傾かせることで、記憶モジュール１９０を摺動トレイ１４０から容易に取り外すことができるが、第１の収納板１６０と干渉することはない。従って、本開示内容のサーバー装置１０は、公定のケース１１０のサイズ内で、ホットスワップ可能な記憶モジュール１９０を大量に設けることができる。例えば、米国電子工業会（Ｅｌｅｃｔｒｏｎｉｃ  Ｉｎｄｕｓｔｒｉｅｓ  Ａｌｌｉａｎｃｅ；ＥＩＡ）に定められたラックユニット（Ｕ）では、本開示内容の記憶モジュール１９０によって、トレージモジュール１９０の組立て又は取り外しに影響せずに、第１の収納板１６０と第２の収納板１７０との間の距離を短縮することができ、これにより、サーバー装置１０の内部に、より多くの記憶モジュール１９０を設けることができる。
【００３２】
更に、図５と図６を併せて参照する。図６は、本開示内容の一実施例に係る第１の収納板１６０と第２の収納板１７０を示す側面図である。図に示すように、一部の実施例において、第１の収納板１６０は、トレイ本体１５０に固定されて接続されてもよい。また、第２の収納板１７０は、摺動トレイ１４０に伴ってケース１１０から外へ摺動した場合、第１の収納板１６０とケース１１０との間に位置するようになる。即ち、第１の収納板１６０と第２の収納板１７０が摺動トレイ１４０に伴ってケース１１０から外へ摺動した場合、第１の収納板１６０が摺動トレイ１４０の最外側に位置し、且つ第２の収納板１７０だけが回転でき、第１の収納板１６０が固定される。本実施例の第１の収納板１６０が摺動トレイ１４０の最外側に位置するため、第１の収納板１６０に設けられた記憶モジュール１９０は、取り出される途中、サーバー装置１０の他の部品からの干渉を受けない。つまり、本開示内容は、２つの収納板を例としたが、トレイ本体１５０により多くの収納板が含まれる場合、最外側の収納板がトレイ本体１５０に固定されて接続されてもよいが、残りの収納板については、その一端部を傾かせることで、収納板内に設けられた記憶モジュール１９０の取り出しを容易にすることができる。
【００３３】
図６を参照する。摺動トレイ１４０における１つの収納板の端部が傾いた場合、収納板内の記憶モジュール１９０は、取り出しルートで、他の収納板と干渉することはない。つまり、トレイ本体１５０に第１の収納板１６０と第２の収納板１７０を有することを例とする。第２の収納板１７０の第１の端部１７１が傾いた場合、第２の収納板１７０の底面１７３の取り外し方向２００への仮想延出面Ｆは、第１の収納板１６０と交差することはない。このように、記憶モジュール１９０は、取り外される途中、第１の収納板１６０と干渉することはない。また、第２の収納板１７０の第１の端部１７１が傾いた後で、記憶モジュール１９０の取り出しルートで第１の収納板１６０に影響されなければ、第１の収納板１６０と第２の収納板１７０とが、できるだけ緊密的に配列してもよく、これにより、摺動トレイ１４０に記憶モジュール１９０を大量に設けることに寄与する。
【００３４】
続いて、図７を参照する。図７は、本開示内容の別の実施例に係るサーバー装置の第１の収納板１６０、第２の収納板１７０と第３の収納板２１０を示す側面図である。図７に示すように、サーバー装置がより多くの収納板を備える場合、例えば、第３の収納板２１０を備える場合、第３の収納板２１０、第１の収納板１６０、第２の収納板１７０の何れもトレイ本体１５０に位置してもよく、且つ第２の収納板１７０が第１の収納板１６０と第３の収納板２１０との間に位置してもよい。第３の収納板２１０は、第２の収納板１７０に向かう第３の端部２１２と第２の収納板１７０から離れた第４の端部２１４を有する。第３の収納板２１０は、摺動トレイ１４０に伴ってケース１１０から外へ摺動した場合、トレイ本体１５０に対して回転することで第３の端部２１２がトレイ本体に対して、すなわち、摺動方向と所定の角度を有する他の方向を向く。同様に、第３の収納板２１０の内部に設けられた記憶モジュール１９０も、取り出される途中、第２の収納板１７０の影響を受けず、従って、第１の収納板１６０、第２の収納板１７０及び第３の収納板２１０が、できるだけ緊密的に配列してもよく、これにより、摺動トレイ１４０に記憶モジュール１９０を大量に設けることに寄与する。
【００３５】
図３〜図５を引き続き参照する。一部の実施例において、摺動トレイ１４０に、２つの背板１４２、１４４及び２つの上板１４６、１４８（図３と図４に示す）を含んでもよい。２つの背板１４２、１４４は、それぞれ第１の収納板１６０と第２の収納板１７０の一側（図５に示す）に位置してもよい。背板１４２、１４４は、それぞれ複数のコネクタ１４２ａ、１４４ａを含んでもよい。第１の収納板１６０に設けられた記憶モジュール１９０は、背板１４２のコネクタ１４２ａと接続してもよく、第２の収納板１７０に設けられた記憶モジュール１９０は、背板１４４のコネクタ１４４ａと接続してもよい。
【００３６】
上板１４６、１４８、背板１４２、１４４及び第１の収納板１６０、第２の収納板１７０が、それぞれ２つの収納スペースＳ１、Ｓ２を形成し、複数の記憶モジュール１９０が２つの収納スペースＳ１、Ｓ２内に設けられるようにしてもよい。より具体的には、第１の収納板１６０、第２の収納板１７０は、３つの壁面で接続されたＵ字状の構造（図５に示すように）であってもよいが、上板１４６、１４８と背板１４２、１４４がそれぞれＵ字状の構造の両端の間に位置してもよい。例えば、上板１４６、１４８は、第２の収納板１７０の対向する両端に接続されてもよい。即ち、上板１４６は、Ｕ字状の構造の底部に対向してもよく、背板１４２、１４４が上板１４６、１４８と実際に垂直になってもよく、これにより、背板１４２、１４４と上板１４６、１４８及び第１の収納板１６０、第２の収納板１７０が、それぞれ外部に向かう１つの収納口（例えば、図４では、収納スペースＳ２が収納口１８０を有する）を有する２つの収納スペースＳ１、Ｓ２を形成する。記憶モジュール１９０は、コネクタ１４２ａ、１４４ａと接続するように、収納口を介して収納スペースＳ１、Ｓ２内に設けられる。第２の収納板１７０の第１の端部１７１が傾いた場合、背板１４４、上板１４８及び第２の収納板１７０により形成された収納口は、取り外し方向２００に向かい、また、この取り外し方向２００がユーザに向かってもよく、これにより、ユーザが記憶モジュール１９０を背板１４４におけるコネクタ１４４ａから容易且つ快速に取り出すことができる。
【００３７】
図８は、本開示内容の一実施例に係る摺動トレイ１４０を示す分解図であり、背板１４２、１４４が省略される。図に示すように、摺動トレイ１４０のトレイ本体１５０一端部１５３は、貫通領域１５７を含む。一部の実施例において、トレイ本体１５０の一端部１５３は、内へ凹んで貫通領域１５７を形成してもよく、例えば、トレイ本体１５０の一端部１５３が凹口であってもよい。第２の収納板１７０の一部は、貫通領域１５７に位置してもよい。このように、第２の収納板１７０の第１の端部１７１が傾いた場合、第２の収納板１７０の対向する第２の端部１７２は、貫通領域１５７からトレイ本体１５０を貫通される。
【００３８】
より具体的には、トレイ本体１５０は、底面１５４、２つの外壁１５５、１５６を含んでもよく、底面１５４が２つの外壁１５５、１５６に接続され、且つ底面１５４の摺動方向１２０での長さＬ１が２つの外壁１５５、１５６の摺動方向１２０での長さＬ２よりも短い。第２の収納板１７０が２つの外壁１５５、１５６の間に位置し、且つ第２の収納板１７０と２つの外壁１５５、１５６との間に枢支板１４９を有する。枢支板１４９は、第２の収納板１７０に枢支され、且つトレイ本体１５０の２つの外壁１５５、１５６に固着されて、第２の収納板１７０が枢支板１４９に対して回転できるようになる。第２の収納板１７０が枢支板に対して回転して第２の収納板１７０の第１の端部１７１が傾いた場合、第２の収納板１７０の第２の端部１７２は、貫通領域１５７の下方まで陥る。
【００３９】
簡単に言えば、一部の実施例において、第２の収納板１７０の底部の一部が底面１５４に設けられ、第２の収納板１７０の底部の他の一部が貫通領域１５７に設けられる。このように、第２の収納板１７０が枢転孔１７０ａを軸心として回転する場合、第２の収納板１７０の底部は、貫通領域１５７の縁に当接することができ、これにより、第２の収納板１７０の回転する場合の安定性を向上することができる。一方、第２の収納板１７０の枢転孔１７０ａは、第２の収納板１７０の壁面の中央に近いところに位置してもよく、これにより、第２の収納板１７０がより容易に回転できる。
【００４０】
具体的には、一部の実施例において、枢転孔１７４ａは、内壁１７４の中央と第１の端部１７１との間の領域に位置してもよい。このように、第２の収納板１７０が枢転孔１７４ａを軸心として回転する場合、第２の収納板１７０全体の重心がケース１１０に近い後半段に位置するため、第２の収納板１７０の後半段が貫通領域１５７に陥りやすいことで、第２の収納板１７０が重力によってより容易に回転できる。
【００４１】
注意すべきなのは、上記実施例では、凹口として貫通領域１５７を例にしたが、本開示内容はこれに限定されない。他の実施例において、貫通領域１５７は、複数の貫通領域１５７を有するトレイ本体１５０における密閉した開口であってもよく、摺動トレイ１４０が複数の回転可能な収納板を含んでもよい。これら収納板は、部分的に貫通領域１５７に設けられ、部分的にトレイ本体１５０の底面１５４に設けられてもよい。
【００４２】
上記をまとめると、本開示内容の上記実施例において、摺動トレイを有してもよいサーバー装置を開示する。且つ、摺動トレイに回転可能な収納板が設けられて、摺動トレイがケースから外へ摺動すると、収納板に設けられた記憶モジュールが収納板の回転によって傾き、ユーザが記憶モジュールを収納板から取り外すことに寄与する。このように、本開示内容のサーバー装置であれば、内部スペースが狭すぎて記憶モジュールを装着できないおそれがなく、公定のケースのサイズ内でホットスワップ可能な記憶装置を大量に設けることができる。
【００４３】
本発明を実施形態で前述の通り開示したが、これは本発明を限定するためのものではなく、当業者であれば、本発明の精神と範囲から逸脱しない限り、各種の変更や修正を加えることができる。従って、本発明の保護範囲は、特許請求の範囲で指定した内容を基準とするものである。
【符号の説明】
【００４４】
１０  サーバー装置
１１０  ケース
１１１  底面
１１２  マザーボード
１１４  ソリッドステートドライブ
１１６  ファン
１２０  摺動方向１３０  伸縮ケーブル
１４０  摺動トレイ
１４２、１４４  背板
１４２ａ、１４４ａ  コネクタ
１４６、１４８  上板
１４９  枢支板
１５０  トレイ本体
１５１  摺動レール
１５２  摺動部材
１５３  端部
１５４  底面
１５５、１５６  外壁
１５７  貫通領域
１６０  第１の収納板
１７０  第２の収納板
１７４ａ、１４９ａ  枢転孔
１７１  第１の端部
１７２  第２の端部
１７３  底面
１７４  内壁
１８０  収納口
１９０  記憶モジュール
２００  取り外し方向
２１０  第３の収納板
２１２  第３の端部
２１４  第４の端部
Ｓ１、Ｓ２  収納スペース
Ｆ  仮想延出面
Ｌ１、Ｌ２  長さ
【図１】
0005947867.tif 000002
【図２】
0005947867.tif 000003
【図３】
0005947867.tif 000004
【図４】
0005947867.tif 000005
【図５】
0005947867.tif 000006
【図６】
0005947867.tif 000007
【図７】
0005947867.tif 000008
【図８】
0005947867.tif 000009